(57)【要約】【課題】金庫の下側に設けた物品収容部の開口の開閉操作を容易にできる金庫を提供する。【解決手段】床面２上に互いに間隔を開けて設けるベース部材７，７と、扉３ａを有すると共にベース部材７、７の上に設置し、ベース部材７，７の端部から扉３ａ側の一部を突出させることにより、この一部の下側に凹部８を設ける金庫本体３と、底部１０ａを有すると共に一側面に物品を出し入れするための開口１０ｄを有し、開口１０ｄを凹部８側に向けてベース部材７，７間に固定する物品載置トレー１０と、物品載置トレー１０の開口１０ｄを開閉するため凹部８内に着脱自在に挿入する幅木１１と、を備える。物品載置トレー１０と幅木１１との間にキャッチャ１２を設ける。【選択図】  図２
2011106120.tif 000002
【特許請求の範囲】
【請求項１】
床面上に互いに間隔を開けて設けた１対のベース部材と、前記ベース部材上に設置され、前記１対のベース部材の端部から、扉の一部を突出させるとともに、この突出部の下側に凹部を設けた金庫本体と、底部を有するとともに、一側面に物品を出し入れするための開口を有し、この開口を前記凹部側に向けて前記ベース部材間に固定される物品載置トレーと、前記物品載置トレーの開口を開閉するために前記凹部内に着脱自在に挿入された幅木とを備え、前記物品載置トレーと前記幅木との間にキャッチャを設けたことを特徴とする金庫。
【請求項２】
前記ベース部材を中空に形成するとともに、前後両端面に前記中空部に通じる孔を設け、かつ前記物品載置トレーにおける開口の両側に、前記ベース部材の孔を閉塞するフランジを設けたことを特徴とする請求項１記載の金庫。
【請求項３】
前記物品載置トレーのキャッチャを、前記フランジと幅木との間に設けたことを特徴とする請求項２記載の金庫。
【請求項４】
前記幅木の両側端面に棒状部材を係止可能とした係止孔を設けたことを特徴とする請求項１〜３のいずれか１項に記載の金庫。
【発明の詳細な説明】
【技術分野】
【０００１】
本発明は、金庫に関する。
【背景技術】
【０００２】
金庫には、電子錠によって扉を施解錠するものがある。この電子錠は、乾電池によって作動するのが一般的であるが、電子錠の乾電池が切れると金庫を使用できなくなるため、予備の乾電池を金庫の近くに準備しておくのが普通である。従来、金庫や家具等の底部と床面との間のスペースに、予備の乾電池や金庫の取扱説明書等の物品を収容する物品収容部を設けることが提案されている（例えば、特許文献１〜４参照。）。このような物品収容部における物品を出し入れするための開口は、蓋又は蓋に変わる部材で開閉自在に閉塞されるのが一般的である。
【先行技術文献】
【特許文献】
【０００３】
【特許文献１】特許第４２４３４０８号公報
【特許文献２】特開平１０−７５８３５号公報
【特許文献３】実開平６−５７２４３号公報
【特許文献４】実開昭６４−５１４５３号公報
【発明の概要】
【発明が解決しようとする課題】
【０００４】
しかし、従来の技術では、物品収容部の開口に設けた蓋又は蓋に代わる部材の開閉操作が面倒で、操作性が悪いという問題があった。
本発明は、上記問題点に鑑みてなされたもので、物品収容部における開口を簡単な操作で開閉できるようにした金庫の提供を目的としている。
【課題を解決するための手段】
【０００５】
本発明によると、上記課題は、次のようにして解決される。
（１）床面上に互いに間隔を開けた設けた１対のベース部材と、前記ベース部材上に設置され、前記１対のベース部材の端部から、扉の一部を突出させるとともに、この突出部の下側に凹部を設けた金庫本体と、底部を有するとともに、一側面に物品を出し入れするための開口を有し、この開口を前記凹部側に向けて前記ベース部材間に固定される物品載置トレーと、前記物品載置トレーの開口を開閉するために前記凹部内に着脱自在に挿入された幅木とを備え、前記物品載置トレーと前記幅木との間にキャッチャを設けてある。
【０００６】
このような構成とすると、幅木を手前に引くだけでキャッチャを解放して、幅木を凹部から簡単に取り出すことができ、これにより、物品載置トレーの開口を簡単に開くことができる。また、幅木を凹部内に挿入するだけで、キャッチャによって幅木が所定の力で凹部内に保持されるので、簡単に開口を閉じることができる。従って、物品収納部の開口の開閉操作が容易になる。
【０００７】
（２）上記（１）項において、 前記ベース部材を中空に形成するとともに、前後両端面に前記中空部に通じる孔を設け、かつ前記物品載置トレーにおける開口の両側に、前記ベース部材の孔を閉塞するフランジを設ける。
【０００８】
このような構成とすると、例えば溝形鋼や、Ｈ型綱等を切断したままの状態で、すなわち、両端部に孔（開口）が開いたままで、すなわち、この孔を板等で塞ぐことなく、ベース部材としてそのまま使用できる。また、ベース部材間に物品載置トレーを挿入するだけで、ベース部材の端部の孔を、フランジで閉塞することができる。従って、溝形鋼やＨ形鋼の両端の孔を塞ぐ手間を省略できるので、コストダウンが可能になる。
【０００９】
（３）前記（２）項において、前記物品載置トレーのキャッチャを、前記フランジと幅木との間に設ける。
このような構成とすると、物品載置トレー及び幅木のそれぞれのキャッチャ間の間隔が広くなるので、幅木を安定よく保持できる。また、幅木に不用意に外力が加わっても、幅木が凹部から外れるのを抑制できる。
【００１０】
（４）上記(１)項〜（３）項において、前記幅木の両側端面に棒状部材を係止可能とした係止孔を設ける。
【００１１】
このような構成とすると、幅木が金庫本体の下側の凹部に挿入され、金庫の設置場所が狭隘で幅木を直接手で凹部から取り出すことができない場合でも、ドライバー等の棒状の治具を幅木の両側端面の係止孔に係止させ、この棒状部材を手前に引くことにより、幅木を簡単に取り出すことができる。
【発明の効果】
【００１２】
本発明によると、乾電池等の物品を収容する物品収納部の開口を、キャッチャによって着脱自在に保持される幅木によって簡単に開閉できるので、開口の開閉操作が容易になる。
【図面の簡単な説明】
【００１３】
【図１】本発明の金庫の一実施形態を示す斜視図である。
【図２】物品収容部を示す分解斜視図である。
【図３】物品収容部の幅木を取り外した状態を示す斜視図である。
【発明を実施するための形態】
【００１４】
以下、本発明の一実施形態を、添付図面に基づいて説明する。
図１に示すように、この金庫１は、床面２上に載置された金庫本体３と、この金庫本体３の下側に設けられた物品収容部４とを備えている。金庫本体３の扉３ａには、扉３ａの施解錠を行う電子錠５が設けられている。この電子錠５は、テンキー等が設けられた操作部５ａを有している。この操作部５ａから暗証番号等を入力することにより、電子錠５の操作が行われる。また、扉３ａは、扉３ａの開閉操作をするための凹部６ａと、凹部６ａ内に設けられた取手６ｂとを有している。
【００１５】
図２に示すように、金庫本体３の下側には、床面２上に互いに間隔を開けて配置された２つのベース部材７、７が設けられている。この実施形態では、ベース部材７、７として溝形鋼を使用しているが、角管材やＨ形鋼等の適宜な部材を使用できる。また、ベース部材７、７は、その側面７ａが金庫本体３の側面３ｂに整合させて配置されている。ベース部材７、７の長手方向の両端面には、孔７ｂ、７ｂが設けられている。これらの孔７ｂ、７ｂは、溝形鋼を切断した後、両端の孔を塞ぐことなくそのまま使用しているために生じているものである。
【００１６】
金庫本体３の扉３ａ側の一部は、ベース部材７、７の端面７ｃから突出している。これにより、金庫本体３の扉３ａ側の一部分と、ベース部材７、７の端面７ｃ、７ｃと、床面２とによって凹部８が形成されている。また、両側のベース部材７、７の間には、トレー収容空間９が形成されている。
【００１７】
トレー収容空間９には、物品載置トレー１０が収容される。この物品載置トレー１０は、四角形の底部１０ａと、底部１０ａの互いに対向する２辺から底部１０ａに直交し上側に延びる側板１０ｂ、１０ｂと、側板１０ｂ、１０ｂの一端を連結する奥板１０ｃとを有している。これにより、物品載置トレー１０の上面が解放されると共に、奥板１０ｃの反対側の面に、物品載置トレー１０内に物品を出し入れするための開口１０ｄが設けられている。
【００１８】
また、物品載置トレー１０の開口１０ｄの両側には、側板１０ｂ、１０ｂの端部からＬ字状に折曲形成され、互いに離間する方向に延伸するフランジ１０ｅ、１０ｅが設けられている。これらのフランジ１０ｅ、１０ｅには、後述の幅木１１とフランジ１０ｅとの間に設けられるキャッチャ１２の把持部１２ａが設けられている。この物品載置トレー１０をトレー収容空間９に挿入するときは、フランジ１０ｅ、１０ｅでベース部材７、７の孔７ｂ、７ｂを閉塞できるようにするため、奥板１０ｃを先頭にして、トレー収容空間９内に挿入する。挿入後、物品載置トレー１０の側板１０ｂ、１０ｂを、ビス１３、１３によってベース部材７、７に固定する。
【００１９】
金庫本体３の扉３ａ側の凹部８には、幅木１１が着脱自在に挿入される。この幅木１１は空洞で長尺の直方体形状に形成され、その直方体形状における一側面、すなわち物品載置トレー１０との対向面１１ａは解放されている。幅木１１は、凹部８内に挿入した際に金庫本体３との隙間が小さく、また、長手方向の両端面１１ｂ、１１ｂがベース部材７、７の外側の側面７ａ、７ａと同一面とになるように形成されている。
【００２０】
幅木１１の内部における両端側には、キャッチャ１２の被把持部１２ｂが設けられている。図２に示すキャッチャ１２は、被把持部１２ｂが先太りの凸状に形成され、把持部１２ａが被把持部１２ｂを弾性的に挟持する一対の挟持片を有する構成としているが、これ以外にも、マグネット式など周知のものを使用できる。
また、幅木１１の長手方向の両端面１１ｂ、１１ｂには、ドライバー等の棒状部材を差し入れて係止できる係止孔１１ｃ、１１ｃが設けられている。
【００２１】
次に、この金庫１の作用について説明する。図３に示すように、物品収容部４内に電池ボックスや取扱説明書等の物品１４を収容する場合には、幅木１１を取り外し、物品載置トレー１０の開口１０ｄから物品載置トレー１０内に物品１４を挿入する。次に、幅木１１で開口１０ｄを塞ぐようにして、幅木１１を金庫本体３の下側の凹部８内に挿入する。このときには、キャッチャ１２の被把持部１２ｂを凹部８側に向けておく。また、幅木１１の両端面１１ｂ、１１ｂを、ベース部材７、７の側面７ａ、７ａと同一面に合わせる。これにより、幅木１１の被把持部１２ｂは、金庫本体３の把持部１２ａによって把持され、幅木１１は、キャッチャ１２によって凹部８内に確実に保持される。従って、幅木１１が不用意に外れるのを防止できるので、物品収容部４内の物品１４を確実に保持できる。
【００２２】
また、物品収容部４内に収容されている電池ボックス等の物品１４を取り出すには、幅木１１を凹部８から取り出す。このとき、幅木１１と金庫本体３との間の隙間は、外観向上のために小さく設定されているので、この隙間に指等を差し入れて幅木１１を掴むのは困難である。そのため、幅木１１の両端面１１ｂ、１１ｂの係止孔１１ｃ、１１ｃにドライバー等の棒状部材を差し込み、棒状部材を手前に引くことによってキャッチャ１２の被把持部１２ｂが把持部１２ａから比較的簡単に外される。これにより、幅木１１を凹部８から簡単に取り出すことができる。このように、この金庫１では、幅木１１の着脱が容易であり、物品収容部４の開口１０ｄを開閉するための操作性を向上させることができる。金庫１の設置場所が狭隘で、幅木１１を直接手で掴んで凹部８から取り出すことができない場合にも、上記と同様の操作で、幅木１１を簡単に取り出すことができる。
【００２３】
また、例えば溝形鋼や、Ｈ型綱等を切断したままの状態で、すなわち、両端部に孔（開口）が開いたままの状態で、孔を板等で塞ぐことなく、ベース部材７としてそのまま使用でき、しかも、この孔を物品載置トレー１０のフランジ１０ｅ、１０ｅで閉塞できるので、コストダウンが可能になると共に、外観も向上する。
【００２４】
さらに、物品載置トレー１０及び幅木１１のそれぞれのキャッチャ１２、１２間の間隔が広くなるので、幅木１１を安定よく保持できる。これによって、幅木１１に不用意に外力が加わっても、幅木１１が凹部８から簡単に抜け出るのを抑制できる。
【符号の説明】
【００２５】
１  金庫
２  床面
３  金庫本体
３ａ  扉
３ｂ  側面
３ｃ  底面
４  物品収容部
５  電子錠
５ａ  操作部
６ａ  凹部
６ｂ  取手
７  ベース部材
７ａ  側面
７ｂ  孔
７ｃ  端面
８  凹部
９  トレー収容部
１０  物品載置トレー
１０ａ  底板
１０ｂ  側板
１０ｃ  奥板
１０ｄ  開口
１０ｅ  フランジ
１１  幅木
１１ａ  対向面
１１ｂ  両端面
１１ｃ  係止孔
１２  キャッチャ
１２ａ  把持部
１２ｂ  被把持部
１３  ビス
１４  物品
【図１】
2011106120.tif 000003
【図２】
2011106120.tif 000004
【図３】
2011106120.tif 000005